(57)【要約】本発明は、エアゾール放出及びマッサージ用スパウト、並びにこれを含む容器に関し、より詳しくは、有効成分を含んでなるエアゾールを放出して頭皮などに適用させるためのものであって、頭皮などに有効成分を含む薬剤を直接適用させると共に、直接頭皮などに対して叩くことによりマッサージ効果を与えることができるエアゾール放出及びマッサージ用スパウト、並びにこれを含む容器に関するもので、複数の軟質の突出部と、有効成分を含むエアゾールを含む容器のバルブに連結される薬剤通路と、前記薬剤通路に連結される少なくとも一つ以上のオリフィスと、を含んでなる。
2005517509.tif 000002
【特許請求の範囲】
【請求項１】
複数の軟質の突出部と、有効成分を含むエアゾールを含む容器のバルブに連結される薬剤通路と、前記薬剤通路に連結される少なくとも一つ以上のオリフィスと、を含んでなることを特徴とするエアゾール放出及びマッサージ用スパウト。
【請求項２】
前記突出部が、ショア硬度（shore A hardness）が20〜100の範囲以内の硬度を有し、引張強度が10〜120 kg/cm2の範囲以内の強度を有する材質からなることを特徴とする請求項１に記載のエアゾール放出及びマッサージ用スパウト。
【請求項３】
互いに対向する位置の前記突出部の内側面間の傾斜角度（γ）が、80°以上、好ましくは、120°以上になるように形成され、前記オリフィス２から噴射されるエアゾールの噴射角に対する前記傾斜角度（γ）の割合が、1 : 0.5 〜 1 : 1.2 の範囲以内になるように調節されてなることを特徴とする請求項１に記載のエアゾール放出及びマッサージ用スパウト。
【請求項４】
前記スパウトが、好ましくは、複数の軟質の突出部が硬質の上部板上に一体に固定されてなる上部板と、薬剤通路が形成された下部板と、に区分形成されて互いに対して一体に固定されてなることを特徴とする請求項１に記載のエアゾール放出及びマッサージ用スパウト。
【請求項５】
前記硬質の上部板が、少なくとも一つ以上のオリフィスが形成される中心軸と、前記中心軸の周縁部に形成される第１支持部及び第２支持部と、を含んでなることを特徴とする請求項４に記載のエアゾール放出及びマッサージ用スパウト。
【請求項６】
前記スパウトが直接頭皮に対して適用され、放出されるエアゾールが頭皮に直接塗布されると共に、前記スパウトが直接頭皮と接触して、頭皮にマッサージ効果を与えることを特徴とする請求項１から５の何れか一つに記載のエアゾール放出及びマッサージ用スパウト。
【請求項７】
有効成分及び推進剤を含み、バルブステムの押圧により有効成分を含むエアゾールを放出するバルブを含む従来の容器において、
前記容器の前記バルブステムが、複数の軟質の突出部と、有効成分を含むエアゾールを含む容器のバルブに連結される薬剤通路と、前記薬剤通路に連結される少なくとも一つ以上のオリフィスと、を含んでなることを特徴とするエアゾール放出及びマッサージ用スパウトを含む容器 。
【発明の詳細な説明】
【技術分野】
【０００１】
本発明は、エアゾール放出及びマッサージ用スパウト、並びにこれを含む容器に関し、より詳しくは、有効成分を含んでなるエアゾールを放出して頭皮などに適用させるためのものであって、頭皮などに有効成分を含む薬剤を直接適用させると共に、直接頭皮などに対して叩くことによりマッサージ効果を与えることができるエアゾール放出及びマッサージ用スパウト、並びにこれを含む容器に関するものである。
【背景技術】
【０００２】
従来のエアゾールを放出するための製品としては、エアゾールを適用させようとする部位に直接的に放出した後に手でこするか、または掌に所定量の薬剤を放出した後にこれを適用させようとする部位にこするなどの方法により適用するしかなかった。特に、頭皮に養毛剤などを適用させようとする場合、頭皮の所定部位に直接的に集中噴射した後、櫛やブラシなどの道具を使用して整えるか、または頭皮を叩きながら使用するようになっている。このとき、養毛剤には、頭皮の血液循環を促進させて脱毛などを予防する効果を与える有効成分が含まれている。このような従来のスパウトを含む養毛剤エアゾール製品の場合、養毛剤を含むエアゾールを噴射するためのスパウトが硬質のプラスチックからなるため、頭皮に対して直接叩くと、頭皮に痛みを誘発し頭皮を損傷するという問題点があった。また、痛みの誘発及び損傷などにより、使用者は直接頭皮に対して叩きながら適用させることを避けるようになり、よって、頭皮を直接マッサージする効果を期待できないという問題点があった。特に、養毛剤を頭皮に適用させる場合のように、マッサージ効果により有効成分の脱毛防止効果が増大し、頭皮を叩くなどのマッサージ効果は、頭皮の血液循環促進に直接的な影響を与える。しかしながら、従来のスパウトを含む養毛剤エアゾール製品においては、硬質のスパウトの採用により、このような頭皮のマッサージ効果を期待できないという問題点があった。
【発明の開示】
【０００３】
そこで、本発明者らは、このような従来の問題点を解決しようと研究した結果、エアゾール製品のバルブ構造のうち、バルブステムにスパウトを結合した後、頭皮などに対して叩くことにより、液状、フォームまたは粒子状からなる有効成分を含むエアゾールが前記スパウトを通して頭皮などに噴射されるようにすると共に、叩くことによるマッサージ効果を与えることで、頭皮などの血液循環を促進させるマッサージ効果の優れたエアゾール放出及びマッサージ用スパウト、並びにこれを含む容器を提供することを目的とする。
【０００４】
このような目的を達成するための本発明に係るエアゾール放出及びマッサージ用スパウトは、複数の軟質の突出部と、有効成分を含むエアゾールを含む容器のバルブに連結される薬剤通路と、前記薬剤通路に連結される少なくとも一つ以上のオリフィスと、を含んでなる。
【０００５】
前記スパウトは、好ましくは、複数の軟質の突出部が硬質の上部板上に一体に固定されてなる上部板と、薬剤通路が形成された下部板と、に区分形成されて互いに対して一体に固定されてなり、前記硬質の上部板は、少なくとも一つ以上のオリフィスが形成される中心軸と、前記中心軸の周縁部に形成される第１支持部及び第２支持部と、を含んでなる。
【０００６】
また、本発明に係るエアゾール放出及びマッサージ用スパウトを含む容器は、有効成分及び推進剤を含み、バルブステムの押圧により有効成分を含むエアゾールを放出するバルブを含む従来の容器に加えて、前記容器の前記バルブステムに複数の軟質の突出部と、有効成分を含むエアゾールを含む容器のバルブに連結される薬剤通路と、前記薬剤通路に連結される少なくとも一つ以上のオリフィスと、を含んでなる。
【０００７】
（図面の簡単な説明）
上記及び他の目的、特徴、及び他の有益点は、添付の図面と併せて、以下の詳細な説明により、より良く理解されよう。
図１は、本発明の一実施形態によるスパウトを概略的に示す斜視図である。
図２は、図１のスパウトの分解斜視図である。
図３は、図１のスパウトの分解状態の側断面図である。
図４は、スパウトの製造工程を示す工程図である。
【発明を実施するための最良の形態】
【０００８】
以下、添付の図面を参照して、本発明の好ましい実施形態について詳細に説明する。
【０００９】
図１及び図２に具体的に示すように、本発明の一実施形態によるエアゾール放出及びマッサージ用スパウトは、複数の軟質の突出部３と、有効成分を含むエアゾールを含む容器のバルブ８に連結される薬剤通路６３と、前記薬剤通路６３に連結される少なくとも一つ以上のオリフィス２と、を含んでなることを特徴とする。
【００１０】
前記スパウト１において、複数の軟質の突出部３は、実質的に頭皮などエアゾールを適用しようとする部位に対して叩く場合にマッサージ効果を与えるためのものであって、ポリエチレン樹脂、シリコン、ゴムなどのような軟質の材質が上方に突出した形状を有するように成形されたもので、前記の材質により限定されることなく、好ましくは、ショア硬度（shore A hardness）が20〜100の範囲以内の硬度を有し、引張強度が10〜120 kg/cm2の範囲以内の強度を有するものであり得る。前記スパウト１は、その内部に有効成分及び推進剤を含む容器から噴出されるエアゾールを放出できるようにする薬剤通路６３が形成されており、該薬剤通路６３を通してエアゾールが前記スパウト１を経由して外部に放出されて、頭皮などに適用されるようになる。且つ、前記スパウト１は、前記薬剤通路６３に連結される少なくとも一つ以上のオリフィス２を含んでなり、該オリフィス２を通して前記容器から噴出されるエアゾールが頭皮などに適用されるようになる。前記オリフィス２は、好ましくは、前記スパウト１の中心部に位置し、特に、前記スパウト１の中心部に形成される中心軸４１の先端に孔を穿設する形式で成形されて、エアゾールの噴射角が45〜150°、好ましくは、60〜120°の範囲以内でエアゾールが放射されるようになっている。
【００１１】
図３に具体的に示すように、前記突出部３は、前記上部板４の底面に対する突出部外側面の傾斜角度αが80〜100°、好ましくは90°になるように形成され、前記上部板４の底面に対する突出部内側面の傾斜角度βが50°以内、好ましくは30°以内になるように形成される。よって、互いに対向する位置の前記突出部の内側面間の傾斜角度γは、80°以上、好ましくは、120°以上になるように形成されるようになる。
【００１２】
前記オリフィス２から噴射されるエアゾールの噴射角に対する前記傾斜角度γの割合は、1 : 0.5 〜 1 : 1.2 の範囲以内になるように調節される。前記エアゾールの噴射角に対する前記傾斜角度γの割合が0.5未満の場合、前記オリフィス２から放射されるエアゾールのうち多い量が前記突出部３の内側面に付くようになり、頭皮など実際に適用させようとする部位にエアゾールが十分に適用されない問題点がありえ、逆に、1.2を超過する場合、相対的にエアゾールが噴射されて頭皮など実際に適用される部位が過度に狭くなる問題点があり得る。
【００１３】
前記スパウト１は、好ましくは、複数の軟質の突出部３が硬質の上部板４上に一体に固定されてなる上部板４と、薬剤通路６３が形成された下部板６と、に区分形成されて互いに対して一体に固定されてなり、前記硬質の上部板４は、少なくとも一つ以上のオリフィス２が形成される中心軸４１と、前記中心軸４１の周縁部に形成される第１支持部４２及び第２支持部４３と、を含んでなる。前記上部板４と下部板６とは、互いに結合されて一つのスパウト１を形成するように構成されることができる。これは、前記複数の軟質の突出部３を軟質の材質から成形するとき、成形を容易にするためのものである。前記硬質の上部板４は、少なくとも一つ以上のオリフィス２が形成される中心軸４１と、前記中心軸４１の周縁部に形成される第１支持部４２及び第２支持部４３と、を含んでなる。ここで、硬質とは、上部板４上に形成される複数の軟質の突出部３を形成する材質に比べて硬度がより高いことを意味するもので、後述する前記下部板６と共に軟質の突出部３を実質的に支持して、前記軟質の突出部３を使用して頭皮などを叩くことによるマッサージ効果を向上できるようにし、且つ、前記スパウト１を頭皮などに対して叩くとき、前記スパウトが固定される容器のバルブ８を開閉して容器内の有効成分及び推進剤を含むエアゾールが間欠的に放出されるように機能する。前記上部板４には、オリフィス２が形成される中心軸４１を基準に前記中心軸４１の周縁部に形成される第１支持部４２、及び前記第１支持部４２と同一面上に外方へ延長される方向に第２支持部４３が形成される。前記第１支持部４２及び第２支持部４３は、その上方に形成される複数の軟質の突出部３を支持する役割をする。よって、前記第１支持部４２及び第２支持部４３の上方に突出部３が形成され、その間には緩衝空間５が形成されるようになる。前記突出部３は、軟質の材質により上方に突出されるように形成されるため、実質的に頭皮などに対して叩くとき、圧縮及び元状態への膨張を繰り返しながら頭皮などに優しく接触を繰り返すことができ、よって、マッサージ効果を与えると共に、頭皮などに痛みを誘発することなく、傷などができないようにし、非常に快適に感じさせるようにマッサージする効果を得ることができる。前記下部板６は、好ましくは、その中心部に薬剤通路６３が形成されてなり、前記上部板４との結合により、前記複数の軟質の突出部３を支持しながら、頭皮などに対して叩くとき、その衝撃を前記容器の前記バルブ８に伝達して、容器内の有効成分及び推進剤を含むエアゾールが前記スパウト１のオリフィス２を通して放射されるようにする。
【００１４】
図３に示すように、前記上部板４には、前記下部板６との結合のための板固定突起４４が前記上部板４の底面に一体に形成され、前記下部板６には、前記上部板４の板固定突起４４を収容して前記上部板４を前記下部板６に固定させるための固定突起収容溝６２が形成される。且つ、前記下部板６には、その中心部に前記上部板４の中心軸４１の下端部を収容する軸収容溝６１が形成され、該軸収容溝６１を介して、前記上部板４の中心軸４１に形成されたオリフィス２と前記下部板６の薬剤通路６３とが、流体が流れることができるように互いに連結される。且つ、前記下部板６の薬剤通路６３の下端には、前記容器のバルブステム７と結合させるためのステム挿入溝６４がさらに形成される。よって、前記容器から噴出されるエアゾールは、前記容器のバルブ８及びバルブステム７を通して前記下部板６の薬剤通路６３に流入し、続いて、前記薬剤通路６３に連結された前記上部板４の中心軸４１に形成されたオリフィス２を経て外部に放出されて、頭皮などに適用されるようになる。
【００１５】
そこで、本発明に係るエアゾール放出及びマッサージ用スパウトを含む容器は、有効成分及び推進剤を含み、バルブステム７の押圧により有効成分を含むエアゾールを放出するバルブ８を含む従来の容器において、前記容器の前記バルブステム７に複数の軟質の突出部３と、有効成分を含むエアゾールを含む容器のバルブ８に連結される薬剤通路６３と、前記薬剤通路６３に連結される少なくとも一つ以上のオリフィス２と、を含んでなることを特徴とする。前記バルブ８が形成された容器は、有効成分及び推進剤を含む通常のエアゾール含有容器であって、当業者には極めて容易に使用できる程度に公知されたものとして理解することができ、国内外有数の製造業者からこれを容易に購入して使用できるものとして理解することができるはずである。その具体的な例としては、蝿、蚊などの駆除のための殺虫剤として、エアゾールで放射するエアゾールタイプの殺虫剤を含む容器を挙げることができる。
【００１６】
また、図４に示すように、前述したような本発明に係るスパウトは、オリフィス２が形成された中心軸４１と、第１支持部４２及び第２支持部４３を含む前記上部板４上にゴムなどの軟質の材質の膜を形成するが、複数の突出部３が形成されるように、突出部３の形状を有する成形空間を有する金型９、１０内に前記上部板４を位置させ、軟質の材質を注入して硬化させることで製造することができる。このような金型９、１０による突出部３を含む膜の成形は、当業者には容易に実施できる程度に公知された通常の射出成形などの公知の成形方法により実施することができる。
【実施例】
【００１７】
以下、本発明を詳細な実施例を参照して説明する。本発明はこれらの具体的な実施例により限定されるものでなく、これらの実施例は単に本発明をより具体的に説明するためのものである。
【００１８】
（実施例１）
スパウトを製造する異なる材質を用い、本発明に係るスパウトを製造し、これを通常の養毛剤及び推進剤が充填されているエアゾール製品の容器のバルブに適用させた。
【００１９】
上部板及び下部板の材質としては、ポリプロピレンを使用し、上部板上の突出部を構成する軟質の材質としては、ショア硬度65、引張強度90 kg/cm2の通常のゴムを使用して、図１〜図３に示すような形状を有するスパウトを、図４に示すような工程を通して、射出成形により突出部を形成して製造した。
【００２０】
（実施例２）
突出部を構成する軟質の材質として、ショア硬度65、引張強度58 kg/cm2の通常のシリコンゴムを使用することを除いては、前記実施例１と同様にしてスパウトを製造した。
【００２１】
（実施例３）
突出部を構成する軟質の材質として、ショア硬度80、引張強度30 kg/cm2の通常のポリエチレン樹脂を使用することを除いては、前記実施例１と同様にしてスパウトを製造した。
【００２２】
（実施例４）
上部板及び下部板の材質として、ポリエチレン樹脂を使用することを除いては、前記実施例１と同様にしてスパウトを製造した。
【００２３】
（比較例１）
上部板、下部板及び突出部を全てポリプロピレン樹脂を使用して製造することを除いては、前記実施例１と同様にしてスパウトを製造した。
【００２４】
（実験例１〜８）
実施例１〜４及び比較例１から得られたスパウトを、通常の養毛剤エアゾール製品の容器のバルブに適用させ、毛髪数の少ない成人１６０名を対象として、頭皮に対して前記スパウト部分で叩きながら適用させる使用法で使用させながら、頭皮マッサージ効果試験、頭皮血液循環試験及び使用感などに対し、５点評価法による官能試験を実施した。実験例１〜４は、各２０名の成人にそれぞれ実施例１〜４のみを使用（即ち、実験例１は実施例１のみを使用、実験例２は実施例２のみを使用など）するようにし、実験例５〜８は、各２０名の成人にそれぞれ実施例１〜４と比較例１とを交互に使用（即ち、実験例５は実施例１と比較例１とを交互に使用、実験例６は実施例２と比較例１とを交互に使用など）するようにし、その結果を平均して平均値を計算し、その結果を下記表１に示す。
【００２５】
【表１】
2005517509.tif 000003
【００２６】
５点評価基準
５＝非常に良い、４＝良い、３＝普通、２＝良くない、１＝非常に良くない
【００２７】
前記表１に示すように、本発明に係るスパウト（実施例１〜４）が比較例に比べて、頭皮マッサージ効果試験、頭皮血液循環試験及び使用感などの全ての面で格段に優れた官能試験結果を示していることを確認することができた。
【産業上の利用可能性】
【００２８】
本発明は、前述した構成に具体化され、養毛剤などのような有効成分及び推進剤を含む容器のバルブに適用されて、養毛剤の適用時に直接頭皮に対して叩くだけで、該当部位の頭皮に直接養毛剤などの有効成分を適用させることができると共に、頭皮に対して叩くことによりマッサージ効果を与えて頭皮の血液循環を促進させることで脱毛などをより効果的に予防できるようにする。養毛剤以外の有効成分の場合も、その適用症のある皮膚などに対して直接叩いて有効成分をエアゾール状で適用させるにおいて、適量を直接該当部位に適用させることができるため、有効成分を一次的に手に適用させた後に二次的に該当部位に適用させるなどの薬剤の浪費を原因的に排除し、有効成分を直接的に適用させ、且つ、有効成分の適用時にマッサージ効果を与えるにおいて、痛み及び損傷などを誘発することなく、快適に適用させることができるという利点があり、よって、使用者が積極的にマッサージ効果を与えながら有効成分を適用させることができるという効果がある。従って、養毛剤などのような有効成分を頭皮などに直接適用させると共に、マッサージ効果を与えるスパウト、並びにこれを含む容器を提供するという効果がある。
【００２９】
当業者であれば、前記説明により開示された概念及び特定の実施形態を、本発明と同様の目的を持つ他の実施例の基礎として容易に活用できることは明らかである。
【００３０】
また、当業者であれば、そのような均等物は、添付の請求項により説明される本発明の精神及び範囲であることは明らかである。
【図面の簡単な説明】
【００３１】
【図１】本発明の一実施例によるスパウトを概略的に示す斜視図である。
【図２】図１のスパウトの分解斜視図である。
【図３】図１のスパウトの分解状態の側断面図である。
【図４】スパウトの製造工程を示す工程図である。
【符号の説明】
【００３２】
１    スパウト
２    オリフィス
３    突出部
４    上部板
４１  中心軸
４２  第１支持部
４３  第２支持部
４４  板固定突起
５    緩衝空間
６    下部板
６１  軸収容溝
６２  固定突起収容溝
６３  薬剤通路
６４  ステム挿入溝
７    バルブステム
８    バルブ
９    金型
１０  金型
α    傾斜角度
β    傾斜角度
γ    傾斜角度
【図１】
2005517509.tif 000004
【図２】
2005517509.tif 000005
【図３】
2005517509.tif 000006
【図４】
2005517509.tif 000007
【国際調査報告】
2005517509.tif 000008
2005517509.tif 000009